(57)【要約】【課題】液晶表示装置は偏光板を用いることで５０％の光ロスを生じていた。また従来の横電界粒子移動型表示装置では応答速度、駆動電圧、明るさ、コントラストなどで難点を有していた。【解決手段】少なくとも１方は透明な基板間に、微粒子が分散された分散系が挟まれてセルを構成しており、該微粒子を電界で移動させて、該セルの基板に垂直方向の光透過性ないし光反射性を変化させる表示装置において、電界を印加するために設けられた駆動電極と共通電極の電極間ピッチｐが５μ〜１００μ、セル厚ｄがｐの０．２〜１．５倍、駆動電極の電極面積率を２０％以下とすることによって高透過率、高コントラスト、低電圧駆動のモノクロおよびカラー表示が薄型、軽量、高速で可能となり、超高精細の光変調素子、ポータブル機器用表示、電子ペーパ、大型モニター、大型ＴＶ、超大型の公衆ディスプレイなど多方面への適用が可能となった【選択図】図６−２
2008209953.tif 000002
【特許請求の範囲】
【請求項１】
少なくとも１方は透明な基板間に、帯電した光隠ぺい性微粒子が透明な液体またはガス媒体中に分散された分散系が挟まれてセルを構成しており、該セル中の微粒子分散状態を該基板に垂直方向のセルの光学的遮蔽状態とし、該基板間に設けられた、細線からなる駆動電極と共通電極間に電圧を印加して該微粒子を該基板に水平方向に移動させて該細線状駆動電極に堆積させて、分散状態の微粒子量を変調させることによって該セルの光学的遮蔽状態を変調する横電界粒子移動型表示装置において、該微粒子は異なる面に設けられた駆動電極同士、ないし駆動電極と共通電極上に表示面から見て重なるように堆積させるべく構成されており、該駆動電極と共通電極の電極間ピッチＰが５〜１００μｍ、該駆動電極の面積率が２０％以下、セルギャップｄをピッチｐの０．２〜１．５倍に設定したことを特徴とした表示装置
【請求項２】
請求項１において該セル中の微粒子量は微粒子分散状態において該セルの光学的透過率が１０％以下になるように調整されていることを特徴とした表示装置
【請求項３】
請求項１の表示装置において駆動電極面積率が１０％以下であることを特徴とした表示装置
【請求項４】
請求項１〜３のいずれか１項に記載の表示装置において該セルは基板間に設けられた隔壁によって形成されているかまたは分散系を内蔵したカプセル粒子によって形成されていることを特徴とした表示装置
【請求項５】
請求項１〜請求項４のいずれか１項に記載の表示装置において該微粒子は単一極性に荷電したものであることを特徴とした表示装置
【請求項６】
請求項１〜請求項４のいずれか１項に記載の表示装置において該微粒子は正、負に荷電したものが混在していることを特徴とした表示装置
【請求項７】
請求項１〜６のいずれか１項に記載の表示装置において該分散系は（１）色と移動速度が異なる混合粒子系ないしは（２）色が異なりかつ電極からの脱着閾値特性も異なる粒子が混在した混合粒子系からなることを特徴とした表示装置
【請求項８】
請求項１〜６のいずれか１項に記載の表示装置において異なる色の微粒子が分散された分散系が積層されていることを特徴とした表示装置
【請求項９】
請求項８において、微粒子がそれぞれ赤色を吸収するシアン色透過性、緑色を吸収するマゼンタ色透過性、青色を吸収するイエロー色透過性であり少なくともこれら３層が積層されていることを特徴としたフルカラー表示装置
【請求項１０】
請求項８〜９のいずれか１項に記載の表示装置において、異なる色の分散系がｎ層積層されている時、基板垂線からの角度をθ、画素サイズをＳとした時、必要な視野角θを得るために、基板および分散系からなる１色当りのセルの厚みqが、q≦Ｓ／tan(θ)／ｎを満たすように構成されていることを特徴としたカラー表示装置
【請求項１１】
請求項１〜６のいずれか１項に記載の表示装置は隣り合う画素にそれぞれＲ，Ｇ，Ｂのカラーフィルタが設けられていることを特徴としたカラー表示装置
【請求項１２】
請求項１〜１１のいずれか１項に記載の表示装置において、該電極が単純マトリクス駆動、スタチック駆動ないしアクティブマトリクス駆動されるように構成されたことを特徴とした表示装置
【請求項１３】
請求項１〜１２のいずれか１項に記載の表示装置において表示装置は背面に光源を設けていることを特徴とした表示装置
【請求項１４】
請求項１〜１３のいずれか１項に記載の表示装置は単一セルないし多数のセルからなるパネルをＸ，Ｙ方向に多数集合させて構成されていることを特徴とした表示装置
【請求項１５】
請求項１〜１４のいずれか１項に記載の表示装置は曲面形状になるように構成されていることを特徴とした表示装置。
【請求項１６】
請求項１〜１５のいずれか１項に記載の表示装置は剛体基板に設けられた剥離層上に分散系層形成までのプロセスまたはパネル形成までのプロセスを実施してのち剥離することを特徴とした表示装置とその製造法
【請求項１７】
請求項１〜１５のいずれか１項に記載の表示装置はロールフィルムを用いたロールツーロールで製造されることを特徴とした表示装置とその製造法
【発明の詳細な説明】
【技術分野】
【０００１】
少なくとも１方は透明な基板間に、帯電した微粒子が透明な液体またはガス媒体中に分散された分散系が挟まれてセルを構成しており、該セル中の微粒子分散状態を該基板に垂直方向のセルの光学的遮蔽状態とし、該基板間に設けられた、細線からなる駆動電極と共通電極間に電圧を印加して該微粒子を該基板に水平方向に移動させて該細線状駆動電極に堆積させて、分散状態の微粒子量を変調させることによって該セルの光学的遮蔽状態を変調する横電界粒子移動型表示装置において、該駆動電極と共通電極は共に櫛型、渦型ないしこれらと類似の細線からなり、該微粒子量は微粒子分散状態において該セルの光学的透過率が１０％以下になるように調整されており、該駆動電極と共通電極の電極間ピッチＰが５〜１００μｍ、該駆動電極の面積率が２０％以下、セルギャップｄをピッチｐの０．２〜１．５倍に設定したことを特徴とした表示装置であって、高精細小型パネルをライトバルブとした拡大投射表示、小型からメートルサイズの直視型表示装置、薄型フレキシブルな白黒およびフルカラー電子ペーパ表示、基本セルないし基本パネルを２次元状に多数配列した数１０メートルを超える超大型表示装置まで広範囲の表示サイズに適用でき、また反射専用、透過専用あるいは反射、透過両用に適用可能な表示装置とその製造法に関するものである。
【背景技術】
【０００２】
従来の薄型表示装置の代表は液晶表示装置であり、モノクロはじめ赤（Ｒ）、緑（Ｇ）、青（Ｂ）の３色カラーフィルタを設けてそれに対応した液晶層を、透過率を変化させるシャッターとして動作させ、Ｒ，Ｇ，Ｂ光の加色法によってフルカラーを実現している。背後に白色バックライトが設けられたものは透過型カラー液晶装置であり、液晶ＴＶ、パソコンモニター、携帯電話の表示装置など広く利用されている。しかるに液晶表示装置の重大なる難点の１つは偏光板を用いることによる５０％を超える光ロスである。
【０００３】
液晶以外の表示装置として透明液体ないしガス体に分散された微粒子を表示面に対して水平方向に移動集積させることによって光線透過性ないしは光線反射性を変化させる横電界方式粒子移動表示法が提案されている（特許文献１〜１３）。その構成は図１および図２に示す通り、透明カウンター電極３を設けた透明基板１と、コレクト電極４を設けた基板２との間に微粒子分散系が挟まれており、電極３と電極４間に電圧を印加して粒子をカウンター電極３上に堆積させるか、面積の小さいコレクト電極４上に集積させるかによってセルの光透過率を変えることを特徴としている。すなわち微粒子が黒色光吸収性の場合（Ａ），（Ｃ）では暗状態、（Ｂ）、（Ｄ）では明状態になる。
【０００４】
他の構成は図２に示されている。ここでは透明コレクト電極４および透明カウンター電極３が同一面上に設けられており、粒子を透明カウンター電極３上に堆積させるかないしは粒子分散状態で暗状態、透明コレクト電極４上に堆積させた時明状態となる。
【０００５】
図１および図２の如き電極構成及び表示モードでは駆動電圧の上昇、応答速度の低下を来たすという重大な問題を抱えていた。すなわち図１（Ａ）、図２（Ａ）から明らかな通り、両端のコレクト電極４の中間辺り（すなわちセル中央部）にある粒子は電界が弱い上に、明暗時にこれらの粒子をコレクト電極上ないしカウンター電極中央部までもたらすには長い距離を移動させる必要があり、明、暗の切替時間（応答速度）が極端に悪化する問題があった。また不均一電界中で面積の大きいベタ透明カウンター電極上に粒子を均一に堆積させることが困難であるため、コントラストに優れた表示を実現することが難かしかった。さらに画素に大きな透明カウンター電極を設けているため反射型で使用する場合、光線は透明電極を２回通過するからたとえ透過率が９０％であっても（０．９２＝０．８１）２０％以上の光線ロスを発生する。３層積層した場合には０．９６より反射明度は５３％以下に低下するという難点があった。従来の表示装置では高コントラスト、高透過率を実現する条件が提示されていなかった。図１（Ｃ）の如き電極構成及び表示モードでは確かに画素面内で電界強度を均一化した点で優れている。また暗状態を必ずしも粒子をカウンター電極に集積した状態ではなく、粒子がほぼ均一に分散した状態を用いていることも応答性改善に繋がる。しかしながら大面積のベタ透明画素電極を設けている点で図１（Ａ），図２（Ａ）と同様の光ロスは避けられないことと分散粒子量、コレクト電極幅、電極ピッチ、セル厚等について実用面からの検討がなされておらず、高コントラスト、高透過率、低電圧駆動、高速応答を実現する条件も提示されていなかったために実用性に乏しいものであった。
【特許文献１】特開昭４９−２４６９５公報
【特許文献２】特開平０３−９１７２２公報
【特許文献３】ＵＳＰ5,745,094
【特許文献４】特開平９−２１１４９９
【特許文献５】特開２００１−２０１７７０
【特許文献６】特開２００４−２０８１８
【特許文献７】特表２００５−５００５７２
【特許文献８】特開２００２−３３３６４３
【特許文献９】特開２００３−２４８２４４
【特許文献１０】特開２００５−３９６４
【特許文献１１】特開２００４−２５８６１５
【特許文献１２】特開２００４−２５２２７７
【特許文献１３】特開２００２−１２２８９０
【発明の開示】
【発明が解決しようとする課題】
【０００６】
表示装置では応答速度は早いことが望ましい。実用的な応答速度を実現するには電気泳動による粒子移動の場合、通常０．２〜２Ｖ／μｍ程度の電界強度が必要である。表示装置の画素は用途によって種々のサイズが存在する。拡大投射に用いるライトバルブでは小型、高精細が要求されるから画素サイズは１０μｍ以下の場合もある。一方屋内外に設置される公衆ディスプレイではセンチメートルオーダの画素になる場合もある。本願では粒子ディスプレイをあらゆるサイズの画素に適用し、尚且つ実用的な駆動電圧で透過率、コントラスト、応答速度等ディスプレイとしての重要な特性を最適化することによって実用性を向上させたものである。
【課題を解決するための手段】
【０００７】
上記課題を解決するために、本発明では従来同様横電界を用いるものであるが、透過率、コントラスト、応答速度など表示性能を向上させると共に、駆動電圧を低減させるセル構成と表示モードを提案するものである。
【０００８】
本発明の基本セルの構成は図３（Ａ）に示す通り、ガラス、プラスチックなど少なくとも一方は透明な２枚の基板１，２間に設けられた隔壁２０によりセル８が構成され、該セル内には透明媒体に微粒子５が分散された分散系７が充填されており、下基板には図４に示すような細線からなる一対の電極６−１、６−２がセルの全面に設けられてセル８が構成されている。
図３（Ａ）のようにセル８中にカーボンブラックなどの黒色光吸収性の微粒子５が均一に分散された状態では透明基板２から入射した光は、微粒子５の隠ぺい力が十分ならば黒色となる。
【０００９】
図３（Ｂ）のように電極６−1と６−２間にＤＣ電圧を印加すれば、微粒子５が正に帯電している場合クーロン力により負極の電極６−１上に集積する。この場合粒子が集積した線状電極６−１以外の領域は光を遮るものがなく透明となる。ここで６−1、６−２間に逆極性の適切なＤＣ電圧パルスないしＡＣ電圧を印加すれば６−１上の微粒子は電極を離れてセル８中に拡散分布し、セル８は再び不透明となる。このようにセル８内の分散状態の粒子量（したがって６−１へ集積させる粒子量）を変えることによってセルの透過率を連続的に変化でき集積状態の粒子も、分散状態の粒子も電圧を切って後もその状態を維持するため表示はメモリ性を有する。分散系７はガス又は透明な液体中に正または負に帯電した微粒子が分散されたものから成り、液体の場合は粒子の移動は電気泳動と呼ばれる。電極６−１、６−２の形状は図４に示すように、櫛型、渦型、これらと類似形状など種々の形が用いられるがいずれも細線から構成されていることが共通している。全体形状は短形、円形、六角形など任意である。
【００１０】
本発明では粒子を集積する電極６−１を駆動電極、他方の電極６−２を共通電極と呼ぶ。細線状の駆動電極がセル全面に存在する故に共通電極６−２との間の強いエッジ電界で粒子は集積、分散を繰り返すことが出来、セルの周辺のみに電極を設けた図１の場合に較べて特に画素が大きくなった場合応答速度が顕著に向上する。また粒子を移動させる電界強度は６−１と６−２の電極間距離、駆動電圧で決まるからセルサイズに拘わらず低電圧でも十分な電界を作用させることが可能になり、低電圧駆動で高速応答を実現できることになる。
細線状の駆動電極はアルミ、クロム、金、タンタルなどの金属を蒸着やスパッタで設けてフォト処理でパタン化した薄膜や、導電性塗料を印刷、インクジェット描画などで設けた導電性厚膜などで構成できる。一対の電極は上基板１に設けられていてもかまわない。
【００１１】
微粒子を駆動電極に集積した時共通電極表面や両電極間隙、あるいは上下基板内面に固着して残存することはセルの明状態の光透過性を阻害するゆえに好ましくない。従ってセルのこの部分には微粒子の固着を妨げるようフッ素化合物などの低表面張力物質のコーティングあるいは粒子の帯電と同極性に帯電するような表面処理がなされていることが望ましい。また分散媒が液体の場合は微粒子と液体の比重は出来るだけ近接していることが粒子の沈降や浮上を生じさせにくいことから望ましい。
【００１２】
本発明で分散状態とはブラウン運動により比重差に拘わらず液体中に安定に微粒子が均一分散したコロイド状態は勿論、基板１，２内面のいずれかないし両面に一部ないし殆どの粒子がゆるく付着した状態、粒子が互いにゆるく凝集し、両電極間に３次元網目構造を形成している状態も含むものである。また微粒子は１種類である必要はなく、光学的特性を最適化するため各種のものが混在していてもよい。微粒子５は通常光吸収性のものが使用されるが、二酸化チタンのように白色等反射性のものを用いることも可能であり、この場合セル８の微粒子分散状態では入射光が微粒子で散乱反射されその程度に応じて透過光は減衰する。反射で見る場合は粒子分散状態で粒子の色、基板２ないし透明基板２の下部が粒子と異なる色（たとえば黒色）であれば粒子集積状態での反射色はほぼ黒色となる。
【００１３】
本願の如き受動型表示装置では表示性能を決するものは、透過率（反射率）、コントラスト、色純度、応答速度、解像度、視野角などであり、装置としては駆動電圧、消費電力も重要な要素となる。図３の如き表示装置で透過コントラストは粒子分散状態（暗）の透過率と粒子集積状態（明）の透過率で決定される。特に十分な暗状態を作り出すことがコントラスト向上には必須用件となる。コントラスト１０００：１、１００：１、１０：１以上を実現するにはセルの粒子分散状態での透過率は各々０．１％（光学濃度３以上）、１％（光学濃度２以上）、１０％未満（光学濃度１以上）である必要がある。本願のセル構成では分散系の粒子濃度を増せば分散状態の透過率を上記値にすることは極めて容易である。しかし粒子濃度を増すと一般に粒子の移動速度が遅くなる、明状態の透過率が悪化しやすいなどの障害が発生するから不必要に粒子濃度を上げるのは得策ではない。
【００１４】
図５を用いて本表示装置での粒子集積時の明状態の透過率について述べる。十分ないんぺい性が得られる濃度に微粒子を分散させた分散系中の粒子をすべて上基板に集積したと想定しこの時の粒子層の厚みをｄ、画素の面積をＳとする（Ａ）。１画素の表示面から見た駆動電極の総面積をΔｓとし、分散粒子をすべてΔｓに集積した明状態では、駆動電極上の粒子層の厚みｈはｄ*Ｓ/Δｓとなる（Ｂ）。明状態はＳ−Δｓを最大化すなわちΔｓを最小化することで実現される。Δｓ／Ｓを駆動電極の面積率と定義する。面積率を１０％、２０％とすればほぼ９０％、８０％の透過率を実現できることになる。しかしながらこの時のΔｓ上の粒子層の厚みｈは各々ｄの１０倍、５倍になる。すなわち極小の面積の駆動電極に出来るだけ厚く粒子を積み上げれば高透過率と高コントラストを実現できることになり、ｄが小すなわち隠ぺい力の高い粒子を用いるほど薄い粒子層で上記高パフォーマンスが実現できることが期待できる。隠ぺい力は粒子そのものの特性は勿論、粒径が深く関与し、隠ぺい力が高くなる粒径を選ぶべきである。
【００１５】
極小の面積率は図４の如き細線状の電極を利用して実現でき、駆動電極幅は製造の容易さ、、電極の信頼性および集積粒子層の安定性を考慮して可能な限り最小幅で形成すべきである。線幅３０μｍ以下、望ましくは１０μｍ以下、ライトバルブ等では数μｍ以下で用いるのが望ましい。たとえば１００μｍ幅の画素に５μｍ幅の駆動電極を４本設けても面積率２０％であり、電極をより細線化することによって面積率を１０％以下にすることは可能である。
粒子濃度を下げれば粒子の移動速度は速くなり、分散系を厚くすれば低粒子濃度（ｇ／ｃｍ3）でも隠ぺい性ないし着色力を高めることができる。しかしながら電極から遠のくほど粒子に作用する電界が弱まり、かつ電極に集積するには粒子は長い距離を移動する必要があり応答が遅くなる。
経験上セルギャップは電極ピッチｐの０．２〜１．５倍程度（２０〜１５０％）に選ぶと電界の波及性が確保され従ってオン（明）、オフ（暗）時の応答性が確保できる。
【００１６】
電気泳動での粒子移動で実用的な応答性実現には先述の通り０．２〜２Ｖ／μｍ程度の電界強度が必要であり、画素サイズに係らずこの電界強度は確保したい。図４（Ａ）に示す電極ピッチpを５〜１００μｍ程度に選び、セルギャップdを電極ピッチpの０．２〜１．５倍（１μｍ〜１５０μｍ）にすれば、対向電極間電圧１Ｖ〜２００Ｖで上記電界強度０．２〜２Ｖ／μｍがほぼ確保できる。直視型ディスプレイに限れば電極ピッチは２０〜５０μｍ程度、セルギャップ１０〜７５μｍ、印加電圧４〜１００Ｖが実用的である。公衆表示の超大型ディスプレイで画素が数ｍｍ〜数ｃｍのものでも電極ピッチを上記２０〜５０μｍ程度で構成すれば十分低電圧で駆動できることになる。
【００１７】
一方ライトバルブのような小型高精細パネルで画素サイズが１０μｍ程度では電極をセル両端に設けた電極ピッチ約１０μｍで用いるか、セル両端ないし隔壁の下部または隔壁側面に設けた駆動（共通）電極間に共通（駆動）電極１本を入れて、ピッチ約５μｍで用いればよい。
以上、電極ピッチ、セル厚は駆動電圧、応答速度に深く係り、それぞれの実用的な値を示した。
【００１８】
ちなみに特許文献２では４００μｍ幅の電極が１０００μｍの間隙で配置される実例が記載されているから面積率＝Δｓ／Ｓ＝４００/１４００＝２８．５％となり、１００μｍセルギャップに１００〜３００Ｖを印加して５５％の透過率と１１０のコントラストが報告されている。セルギャップの電極ピッチに対する割合は１００/１４００＝７．１％で極めて小さく帯状電極間中央部の電界は極度に弱くなってしまう。最大電界強度１〜３ｖ/μｍであるが、これはあくまでも対向している電極間の電界であって帯状電極間中央部では粒子に作用する電界は図１（Ａ）と同様極めて低下せざるを得ず応答速度の低下をきたし電界均一化がなされているとは言い難く実用上問題があった。
【００１９】
以上述べた通り、駆動電圧、応答速度の低減は電極ピッチとそれに対応したセル厚の設定により、透過率、コントラストの向上はΔｓの低減、分散粒子の選定、分散粒子量の最適化によって実現できると言える。
【００２０】
本発明で用いる電極構成は図３、図４に示したものの他、種々の形式が利用可能である。
図６−１（Ａ）には図４の一方の電極を対向基板上に設けた場合を示す。分散系が多少厚くなっても図３の場合より全体として粒子に強い電界を印加できる。
図６−１（Ａ）のようにそれぞれを異なる基板上に電極を設ける場合、図７に示すように駆動、共通各線状電極はストライプ、格子、渦など閉じられた電極構成でもよい。
【００２１】
駆動電極と共通電極が同一パタンで互いに重なり合う位置にある図６−１（Ａ）と互いに少しずらす場合（図６−１（Ｂ））がある。図６−１（Ｂ）の場合は共通電極は透明にすべきであり、各電極間の中央部にある粒子にはより強い電界を作用できる利点があるが粒子に正、負両極性のものを用いた場合透過率が低下する欠点が発生するから粒子は同極性のものを選ぶべきである。
【００２２】
図６−１（Ｃ）は両基板にそれぞれ図４の如き共通電極と駆動電極対を有するもので尚且つ駆動電極と共通電極が重なり合うように配置したもので、図６−１（Ｂ）と同様微粒子を再分散させる時に電界による基板間の流体の流れが微粒子分散に寄与する。
【００２３】
図６−２（Ｄ）は駆動電極どうしを重ね合わすよう配置したもので表示面から見て同一領域に粒子を多層に積層できるから、透過率向上に寄与する。
【００２４】
図６−３（Ｅ）は共通電極が駆動電極とは別基板にあり、かつ透明ベタ電極の場合を示す。駆動電極は図７のようにストライプ、格子、渦など閉じられたものかあるいは図４のような閉じられない電極構成が自由に選択できる。この場合も線状駆動電極間にある粒子に電界を作用させやすいが、粒子は単極性でなければ開口率で不利になる。透過での暗状態は粒子分散状態やベタ電極への粒子堆積状態で実現できる。共通電極が透明であるとはいえ幾分光を吸収するから先述した通りセルを積層して使用する場合光ロスが大きくなる不利益が発生する。本発明で共通電極がベタ電極の場合や駆動電極と共通電極が異なる基板に設けられている構成では、駆動電極と共通電極の電極間ピッチＰとは駆動電極と共通電極の最短距離を意味する。
【００２５】
図６−３（Ｆ）は図６−３（Ｅ）の透明ベタ共通電極の対向側に図４の如き駆動、共通電極対を設けた構成である。粒子分散状態を高速化するのに有用な構成であるが、共通電極は透明なものを用いるべきである。
【００２６】
図６−３（Ｇ）は図４ないし図７の如き細線状共通電極６−２と絶縁層２３を隔てて同じく細線状駆動電極６−１がピッチをずらせて設けられている。両電極を片側基板側のみに形成できることや両電極の形状自由度が高まる利点がある。共通電極６−２には透明なものを用いるべきであり、応答速度の低下を来たさないよう分散系厚は薄く構成すべきである。
【００２７】
図６−３（Ｈ）は図６−３（Ｇ）の共通電極６−２をベタ透明電極に置き換えたものである。両電極を片側基板側のみに形成できる利点がある。透過で用いる時は暗状態は粒子分散状態かないしは駆動電極部以外の絶縁層２３上に粒子を均一に堆積させることによっても実現できる。
【００２８】
以上、図６−１〜図６−３の各電極構成で駆動電極、共通電極の各々がたとえ異なる基板にあっても互いに電気的に結合してセルは駆動電極、共通電極の２端子素子として動作させるよう構成されている。
【００２９】
図６−１〜図６−３ではすべて粒子は単一極性として説明したが、電極構成によっては両極性粒子の方が有利な場合がある。
【００３０】
先にも述べた通り、不透明な分散粒子を表示面から見て最小の断面積で集積できれば透過率を最大化できる。決められた粒子量の集積断面積を小さくするということは粒子を出来るだけ厚く積み上げることであり、以下にその対策を示す。
【００３１】
図８（Ａ）は駆動電極上での粒子の集積断面積が長軸が基板に垂直なほぼ楕円形状に積み上った例であり、（１）粒子の電気抵抗が小さい場合集積粒子層により局所電界は強められるから粒子層は図のように厚く集積し易い。
【００３２】
（２）共通電極と駆動電極間の電界が出来るだけ狭い範囲に収束している場合も集積粒子層を厚くするのに有効であり、片方ないし両方の電極幅を狭くすること、また図６−１（Ａ）のように共通電極も駆動電極パタンとほぼ同型にして互いのパタンがほぼ重なるように配置することで駆動電極上の電界を収束できる。
【００３３】
（３）図８（Ｂ）に示すように電極部に細い窪みを設けておき粒子を強制的に窪みに誘い込めば集積断面積を小さくできる。窪みはたとえば共通電極ないしは駆動電極面に一様にフォトレジストなどを塗布し、フォトエッチングで電極上部を穴あけして形成できる。
【００３４】
（４）図８（Ｃ）に示すように駆動電極に微小突起を設けて局所電界を集中させる。
【００３５】
（５）図８（Ｄ）に示すように分散系に正、負両極性の粒子を混在させておけば駆動電極、共通電極の両方に粒子を集積できることになり、両電極が互いに重なる位置関係にあれば実質的に集積粒子層の厚みを単一極性の場合の２倍にすることに相当し、高透過率が実現できる。
【００３６】
図６−１（Ａ）、（Ｃ）のような電極構成の時、両極性分散系が有効である。このような電極構成の場合は両電極共不透明電極でよく電極材料の選択自由度が増す。
【００３７】
分散媒がガス体の場合、帯電系列が正、負になりやすい粒子を混在させておくとまさつ帯電などで常に粒子の正、負電荷量を安定して保持できることから、単粒子系よりより安定性の高い分散系が実現できることも好都合である。
【００３８】
両極性粒子系では再度セルを暗状態にするにはお互いの電極上の粒子が電極を離れきる程度までの適切なパルス幅の逆電圧が選ばれるべきである。適切な周波数のＡＣ電圧を印加しても粒子を分散状態にすることができる。
【００３９】
上に述べた開口率向上策を活用して駆動電極の面積率を２０％以下、好ましくは１０％以下にすることが望ましい。特許文献２では両電極に透明なものを使用しているが、本願では細い駆動電極上に粒子をできるだけ積み上げることを目指しているから細くする限り駆動電極は不透明でよい。
【００４０】
図３で粒子を隔壁２０によってセル内部に閉じ込めるのは微粒子が隣のセルに移動するのを妨げ各画素内の粒子濃度を一定に維持するためである。隔壁で微粒子を閉じ込める代りに、微粒子分散系をカプセル内に閉じ込めてもよい。
【００４１】
図９（Ａ）では微粒子分散系を内臓したカプセル粒子１０を配列した断面図を示す。各カプセルの下部にたとえば細線からなる面状の櫛型駆動電極、共通電極が設けられている場合は１個のカプセルを１画素とでき、横ｎ個のカプセルにまたがって１対の電極が設けられている場合はたとえば正方画素ではｎ×ｎ個のカプセルで１画素を形成する。図９（Ｂ）は球形カプセル粒子１０を基板間に加えた圧力でほぼ直方体になるように変形させた例であり、カプセル粒子の直径より小さいスペーサでギャップを形成している。このような変形を加えることによって隔壁と同様な直方体の形で用いることができ、開口率向上と隔壁を形成する工程を除くことができる。本願ではカプセルを単粒子層で描いているが、カプセル粒子は表示原理から明らかな通り必ずしも単層である必要はない。ただしカプセル中心が基板垂直方向に一直線に並ぶ等軸構造が望ましい。
【００４２】
基板にフィルムを用いたフレキシブルシートディスプレイの場合は特に、両基板は隔壁の上下両面と各々接着していることが好ましい。カプセル粒子を用いた場合はバインダー樹脂が上下基板の接着に寄与する。微粒子をカプセルに閉じ込めることによる他の利点は、液状ないし流動性粉体としての微粒子分散系を固体化でき表示素子面への塗布、上下基板の貼り合わせ等における取り扱いの容易さである。カプセル粒子を用いる場合も電極パタン及び電極構成は図３、図４，図６−１〜図６−３，図７の種々の構成が選択できる。
【００４３】
本発明でセルとは、隔壁ないしカプセルで粒子を閉じ込めた領域を言う。一対の電極は１つのセルに設けられる場合もあれば、多数のセルに対して１組設けられる場合もある。画素とは一対の電極を有する領域を言うから１個のセルの場合もあれば多数のセルから成る場合もある。
【００４４】
図１０（Ａ）は光線ロスを防止したフルカラー表示素子の断面を示し透過でも使えるよう背面に光源１３からなるバックライトユニット１７を設けたもので、図３の如きセルを３層積み重ねた積層セル２４で構成されている。ただし３層の微粒子５は各々Ｃ（シアン），Ｍ（マゼンタ），Ｙ（イエロー）色のものが用いられる。Ｙ，Ｍ粒子が適度に分散状態にあり、Ｃ粒子が電極集積状態にあれば、その部分はＲ（赤）、Ｃ，Ｍ粒子が適度に分散状態でＹ粒子が電極集積状態では同じく減法混色によりＢ（青）、Ｙ，Ｃ粒子が分散状態ではＧ（緑）となる。勿論Ｃ粒子、Ｍ粒子、Ｙ粒子のみ分散状態では夫々Ｃ，Ｍ，Ｙ色となる。Ｃ，Ｍ，Ｙパネルに加えて、より完全に光を遮断するために白-黒に変調できる第４のセルが追加され４層構成をとる場合もある。またセルの積層順序は任意に選択可能である。白色光源オフの状態では白色拡散板により反射カラーパネルとして使用できる。マルチカラー表示では色の異なる分散系の２層構成でもかまわない。
【００４５】
良好なコントラスト、色純度のカラー表示を実現するには、Ｃ，Ｍ，Ｙ各パネルで十分なコントラストが実現される必要がある。Ｃ，Ｍ，Ｙ粒子はそれぞれＲ，Ｇ，Ｂ光を吸収する粒子である。先述した通り本願で用いるＣ，Ｍ，ＹパネルはそれぞれＲ，Ｇ，Ｂ光の吸収帯において透過率が２０％以下、望ましくは１０％以下になるように各パネルの粒子濃度を設定することが望ましい。
【００４６】
本発明のカラーパネルは図１０に示す通り、特許文献７と同様少なくともＣ，Ｍ、Ｙに変化する粒子層を３層積層するものであるが、透明電極を用いない構成が可能であるため、低コストで明るく、高信頼性のパネルが製造できる。すなわち特許文献７のセル構成では１色当り少なくとも１層の透明電極が用いられているから反射で見る場合、入射光は６回透明電極を通過しなければならず、透明電極の透過率が仮に９０％でも０．９６＝０．５３で４７％の光エネルギーをロスしてしまうことになり明るい白色は再現できない。また画素が大きくなると駆動に高電圧を要する難点も有していたが本願では画素の大小に係わらず低電圧で駆動できる特徴が発揮できる。
【００４７】
図１０（Ｂ）は図１０（Ａ）の如き積層セル２４の背面に電極ピンを設け、各色の駆動電極および光源に信号を印加できるように構成した電極ピン２５付きフルカラー素子を示す。各色にフィルム基板を用い、ＬＥＤやＥＬのような薄型光源でバックライトユニットを構成すれば数ｍｍ厚のフルカラー素子とすることも可能である。各素子をカラー指示器として用いてもよいが、このような基本セルをＸ−Ｙマトリクス状に多数並べることによって光源非点時は反射型、点灯時は発光型となる反射、発光両用のフルカラー超大型表示システムを構成することができる。
【００４８】
単一画素素子は勿論多画素のパネルを用いた多画素ピン付きパネルが可能であることは言うまでもない。各素子を曲面状に配置することによって曲面表示も可能である。各画素の端子がピンを通じて外部に取り出せるから、スタチック駆動、マルチプレクス駆動、アクティブマトリクス駆動など駆動方式の自由度は高まる。
【００４９】
図１０（Ａ）の３層積層型表示装置では画素サイズにくらべて間に入る基板の厚さが厚い場合、反射で見た時視角が制約される。図１０（Ａ）において断面図は１画素を示すとした場合、基板垂線からの角度θを越えた方向から見ると反射光線は３層すべてを通過していないから正しい色を見ることが出来ない。画素サイズをＳとすれば１色分のセル厚ｑ（上基板、分散系、下基板、接着層の合計）はｑ＝Ｓ/（3×tanθ）となる。一般にｎ層積層ではｑ＝Ｓ/（ｎ×tan（θ））となる。θ＝６０度(tan(θ)=１．７３)ではｑ＝Ｓ/５．１９より、画素サイズが0.1ｍｍ、１ｍｍの場合ｑ≒、１９．２μｍ、１９０μｍ、θ＝８０度(tan(θ)=５．６５)の時ｑ≒５．９μｍ、５９μｍとなる。すなわち積層型反射表示装置は間に入る基板を極力薄くしないと視野角に優れた表示を実現することが困難になる。この点透明基板としてフィルムは薄さゆえに有利である。
【００５０】
図１１はＣ，Ｍ，Ｙのカプセル粒子を積層したカラーパネルの断面図を示す。電極を設けた基板にカプセルを敷き詰めたものを接着剤を介して各色順次積層すればよいから基板枚数を減らし易く、視角特性の点で有利なセルが構成できる。                                                                                                                                                                      
【００５１】
多数の画素から構成される表示装置の駆動法には（１）スタチック（２）単純マトリクス  （３）２端子アクティブマトリクス（４）３端子アクティブマトリクス  などがある。
【００５２】
図１２は単純マトリクス構成のパネルを製造する工程を示す。ガラス、プラスチックなどの基板２にアルミ、クロム、金などの電極薄膜を蒸着やスパッタで設けて後フォトエッチプロセスで図１２（Ａ）に示すように列電極Ｃｉおよびこれに連なった駆動電極６−１を形成する。次に少なくとも列電極の所定箇所に絶縁層２３を形成して後、共通電極６−２、行電極Ｒｉを形成する（Ｂ）。こうして得られた電極付き基板と他の絶縁性基板との間に隔壁かカプセル化によって分散系を所定位置に閉じ込め表示パネルが構成される。列電極Ｃiに信号を、線状共通電極Ｒiに走査信号を加えて線順次で表示が果たされる。パネル構成が単純であるから低コストで製造できるメリットがあるが、各画素には閾値特性が要求されるため通常、表示容量の大きい用途には使えない。
【００５３】
表示容量を拡大するにはアクティブマトリクス（以下ＡＭと略称する）構成を採用する必要がある。図１３は陽極酸化膜が金属電極間に挟まれたいわゆるＭＩＭ（Metal Insulator Metal）素子からなる２端子ＡＭアレーの製造工程を示す。アルミ、タンタルなどの金属薄膜で平行線状列電極Ｃiを形成して後、列電極Ｃiを陽極酸化して表面に酸化膜を形成する（Ａ）。ついで金属膜を蒸着ないしスパッタによって設け、たとえば櫛型駆動電極６−１を形成する（Ｂ）。駆動電極と列電極が交差する領域に２端子素子２１が形成される。次に列電極の、少なくとも後に行電極と交差する箇所に絶縁層２３を形成して後、共通電極６−２、走査電極Ｒｉを形成（Ｃ）することによって２端子ＡＭアレーが形成される。こうして得られた電極付き基板と他の絶縁性基板との間に隔壁かカプセル化によって所定位置に分散系を閉じ込め表示パネルが構成される。ＭＩＭの代りに、電極６−１とＣｉの交点部に酸化亜鉛のような半導体を樹脂に分散した非直線抵抗素子を挟み込んでも２端子ＡＭアレーを形成できる。
【００５４】
図１４はＴＦＴ（Thin film Transistor）３端子素子から成るＡＭアレーの２画素分の電極構成を正面図で示す。信号線Ｃｉとは絶縁層で分離された駆動電極６−１はドレイン（Ｄ）電極に接続されており、ソース（Ｓ）電極は列電極Ｃiの１部からなり、Ｓ，Ｄ間には半導体、ゲート絶縁膜が積層されている。列電極部に層間絶縁膜を設けてのち行電極Ｒi（ゲート電極）を設けて３端子ＡＭアレーが形成される。共通電極６−２は列電極、行電極と絶縁層で隔てられて、列電極ないし行電極同様パネル全体に張り巡らされており、全画素共通の１端子としてパネル外に取り出されている。こうして得られたＴＦＴからなるＡＭアレー基板のＣｉ，Ｒｉ部に隔壁を設けるか画素中央部にカプセル粒子を設置し、透明絶縁性基板との間に分散系を閉じ込めて表示パネルが構成される。図１４ではＴＦＴはスタッガー型で示したが、逆スタッガー型ＴＦＴも勿論可能である。
【００５５】
図１４のアレー構成は現在液晶モニター、液晶ＴＶなどで用いられているＩＰＳ（In-Plane-Switching）モードのＴＦＴパネルのアレー構成と殆ど類似している（但し、図４（Ａ）の櫛型電極構成）。図１３や図１４のアクティブマトリクスパネルでは画素のドレインに印加された電圧を保持するためドレイン（駆動電極）と共通電極間に並列容量を付加することが望ましが、共通電極とドレイン電極間の絶縁層は並列容量として利用できる。
図１２〜図１４のマトリクスパネルでは電極はすべて片側基板に設けたもので説明したが、図６−１〜図６−３の種々の電極構成を採用してもよいことは言うまでもない。
【００５６】
図１５は更に視角特性に優れた３層積層パネルを示す。ここでは１画素を３×３個の単層カプセル粒子１０から成るとして図示している。カプセル粒子径が２０μｍであればスペーサは約６０μｍの高さを必要とする。あらかじめ基板にカプセル粒子の直径に相当する凹みを設けておけばスペーサは約５０μｍでよい。図１５では１層目、２層目、３層目のカプセル粒子に電界を作用させるためのＴＦＴなどのスイッチ素子はすべて下基板２に形成された３色用Ｘ−Ｙアクティブマトリクスアレー１３dで構成されているとして図示してある。
【００５７】
図１５のような構成のアクティブマトリクスパネルを製造する方法として大きくは４つの方法が可能である。すなわち（１）Ｃ，Ｍ，Ｙカプセル粒子駆動用ＡＭアレーはすべて基板２に形成（開口率向上のため隔壁ないしスペーサの下に設けられていることが望ましい）されており、各色用ドレイン電極とこれに対向する共通電極は隔壁ないしスペーサの内部か表面を通して形成し、アレー基板と隔壁ないしスペーサが形成された後にカプセル粒子を１層ずつ積み上げる。（２）Ｃ，Ｍ，Ｙカプセル粒子駆動用ＴＦＴはすべて基板２に形成されている点で（１）と同様であるが、各色用ドレイン電極、共通電極などの形成及び下部に形成されている対応する色用ドレイン電極との配線は色カプセルを敷き詰めた後に追加してゆく。（３）１色目のアレーが形成された基板に１色目のカプセル粒子を敷き詰めて、表面を平坦化して後２色目のＴＦＴアレーを形成するというように、アレーとカプセル粒子層を順次形成してゆく。（４）あらかじめＴＦＴアレーと色粒子で構成された単色アクティブマトリクスが形成された転写用基板から、接着層を設けた最終基板側に順次転写して３層を積層する。以上いずれの方法に於ても導体の積み上げには導体ペーストのインクジェット描画法やアディティブ法として広く用いられている電解ないし無電解メッキ法などが利用できる。
【００５８】
以上述べたようなたとえば縦Ｍ画素、横Ｎ画素からなる基本パネルを縦ｍ枚、横ｎ枚並べることによってＭ×ｍ×Ｎ×ｎ画素からなる大型表示システムを構成することが可能である。それぞれパネル間の隙間を出来る限り狭くするよう各パネルの電極は薄いＦＰＣなどを用いてパネル面と垂直方向にパネル背面に引き出し、背面基板ないしバックライトの背後に設けた駆動回路と接続して駆動するように構成される。このような基本パネルを用いて、数１０ｍサイズの反射、透過両用の低電力、高精細フルカラー大型公衆表示システムを構成することが可能になる。
【００５９】
図１６はプロジェクターなどに用いる、シリコン基板を用いたＡＭ反射型ライトバルブを示す。シリコン基板１５上に形成されたＦＥＴ素子からなるＡＭアレー上に絶縁膜２３、画素部反射膜１４、絶縁膜２３、電極６−１、６−２を設け、各電極は絶縁膜２３に設けた孔を介して対応するＡＭ基板上のドレイン端子、共通端子と接続されており、透明基板１との間に分散系７が挟まれてライトバルブが構成される。たとえば１インチサイズでフルＨＤ（１９２０×１４４０画素）のライトバルブを構成する場合、画素ピッチはほぼ１１μｍ程度になる。隔壁高さは低いほど製造が容易であるから駆動電極ピッチ及びセル厚を数ミクロンとすれば、１０Ｖ以下で駆動できるライトバルブが構成可能である。隔壁を絶縁性黒色にするか反射性隔壁の場合は上基板と隔壁の間に黒色膜を形成することが望ましい。
【００６０】
図１６の反射型ライトバルブの構成はＬＣＯＳ(liquid-crystal-on-silicon)と称する液晶ライトバルブでの液晶を微粒子分散系に置き換えることによって構成される。ＬＣＯＳでは画素は上側透明電極、液晶層、下側反射電極構成となるが、本願での電極構成は図４、図６−１〜図６−３、図７に示す種々の構成が可能であるが、反射率を上げるため反射板１４は必須である。ＬＣＯＳと同様、超高圧水銀ランプなどの白色光源をダイクロイックミラーやプリズムでＲ，Ｇ，Ｂ光に分離し各色光を図１６のライトバルブに照射して得たＲ，Ｇ，Ｂ色光像をレンズを用いてスクリーン上に拡大投射、合成してフルカラー像を得ることが出来る。光源にＬＥＤや半導体レーザを用いれば小型プロジェクターを構成できる。フロントプロジェクターは勿論、途中で光路を折り曲げてリアプロジェクターも可能である。画素ピッチはモノクロの１／３になるが前面にカラーフィルタを設けることによって単板カラーライトバルブを構成することも可能であり、図１５の如き３層積層パネルを構成すれば光利用率の高い単板式カラーライトバルブが構成可能である。分散系は隔壁型、カプセル型いずれを用いてもよい。反射型は光線が分散系層を２度通過するから分散系の粒子濃度が透過型の１／２でよく高速応答が可能である。
【００６１】
上記シリコン基板の代りに、石英などの耐熱性ガラスにポリシリコンなどでＡＭアレーを構成したＡＭ基板を用いれば、単板式あるいは３板式高精細透過型ライトバルブを構成することが可能である。
【００６２】
現在の液晶カラーパネルの液晶を本発明の光変調素子で置き換えることによって容易にフルカラーパネルを構成できる。
図１７に本発明の透過型フルカラーパネルの断面図を示す。現在の液晶カラーパネルのライトバルブとしての液晶を、白黒に透過率を変調できる微粒子を分散した分散系７に置き替えることによって構成できる。すなわちＸ−Ｙマトリクス構成のＡＭアレー１３cが形成された透明ガラス基板２とストライプ状あるいはドット状にＲ，Ｇ，Ｂカラーフィルタ１３a、ブラックマトリクス１３ｂが設けられた透明基板１との間に分散系７が挟まれて構成されている。各画素となる駆動電極６−１、共通電極６−２はＡＭアレー１３cの各ドレイン電極、共通電極と接続されている。各画素の電極は図４、図６−１〜図６−３、図７のいずれの構成を用いてもよい。
【００６３】
図１７では隣り合う画素にＲ，Ｇ，Ｂカラーフィルタを設ける構成について述べたが、カラーフィルタを用いる代りに各セルの分散媒をＲ，Ｇ，Ｂに着色してもよい。但し各色セルをストライプ状ないしドット状に色分けして設ける必要がある。
【００６４】
Ｒ，Ｇ，Ｂ併置カラーフィルタないしＲ、Ｇ，Ｂ着色液を用いているため光変調素子への白色入射光の２／３をロスする欠点があるが、現状確立しているＴＦＴアレーの量産プロセスと設備がほぼそのまま利用できる利点があり、小型から１００インチを超える大型までサイズを問わず製造可能である。液晶カラーパネルの場合と違って、視角拡大フィルム、偏光板、配向膜、配向処理プロセスなどは不要であり、プロセスの簡易化、部材の低減化に加えて、偏光板が不要であることからより明るく、広視角の表示を実現することができる。
【００６５】
電子値札やメッセージ表示などでは必ずしもフルカラー表示でなくてもよい用途もある。図１８では１層の分散系でカラーフィルタを用いることなくマルチカラー表示を行う例について述べる。透明分散媒中に色と移動速度の異なる微粒子が混合分散された分散系を用いればよい。すなわち電極６−１，６−２間にＤＣ電圧を印加（第一パルス）して粒子を一方の電極に堆積（同極性粒子の場合）（図１８（Ａ））させれば、セルは透明（反射で見る場合反射板が白色なら白色）に見える。ここで適切な幅ないし波高値の逆極性ＤＣパルス（第二パルス）を印加すれば、移動速度の速い粒子（第一粒子：赤色とする）がまず電極を離れ分散状態になるからここでパルスを止めればセルは移動速度の速い粒子の分散状態である赤色に見える（図１２（Ｂ））。第二パルスより幅ないし波高値の大なる逆極性パルスの場合では第一粒子は対向電極６−２に集積してしまい、分散系には速度の遅い第二粒子（黒色とする）のみ分散していることになり、セルはほぼ黒色に見える（図１２（Ｃ））。電極間に適切なＡＣ電圧を印加すれば第一、第二粒子が共に分散状態になるからこれらの混合色である赤黒色が提示される。すなわち単層パネルで４色の色が選択できることになる。色の異なる微粒子が異極性でも移動速度が異なっていれば利用可能である。
【００６６】
図１８では粒子の移動速度の違いを利用して多色表示する例について述べたが、電極に堆積した粒子を逆極性電圧の印加で電極から脱着させるのに粒子ならびに電極の性質により閾値電圧が存在する場合がある。異なる色の微粒子のこの閾値性の違いは有効に利用可能である。第一、第二粒子の閾値を各々Ｖ１、Ｖ２（Ｖ１＞Ｖ２）とし、Ｖ１＞Ｖ＞Ｖ２の電圧Ｖでは第二粒子のみ分散させることが出来、Ｖ＞Ｖ１の電圧Ｖでは主として第一粒子のみの分散状態を生じさせることが出来るからである。またＶ＞Ｖ１のＡＣ電圧で混合分散色を得ることができ、泳動速度の違いと併せて閾値性の違いも粒子の選択的分散に有効に活用でき、簡単な構成のパネルでマルチカラー表示が可能となる。
【００６７】
薄いフィルム基板を用いて図６−１（Ａ）、（Ｂ）、（Ｃ），図６−２（Ｄ）など両面に電極を有するパネルや図１０、図１１、図１５などの積層パネルを形成する場合、温度や張力によるフィルムの伸縮や曲がりのため両基板や各パネルの位置合わせが困難化する。両フィルム基板をあらかじめガラスなどの剛体基板に単個取りあるいは多数個取りを想定したサイズで貼り付けておき、電極、スイッチ素子、隔壁などの形成プロセスを実施して後、他方の基板に設けられたフィルム基板との間に表示媒体の挟み込み、封止を行なってフィルムパネルを形成し、しかる後剛体基板からパネルをはがす方法をとれば、フィルムの薄さ、伸縮性から生じる電極の上下位置合わせなどのプロセスの困難性は軽減する。
【００６８】
本願のフレキシブルパネルの製造に有効に活用できる転写法をたとえば積層型カラーパネルの製造に適用する場合について述べる。ガラスなどの耐熱性剛体基板にあらかじめアモルファスシリコン等の無機皮膜、ポリイミド、シリコン樹脂などの有機皮膜からなる剥離層を設け、その上に数ミクロン厚の有機ないし無機の基板材を設け、この上に電極やＡＭ、必要に応じてスペーサを形成し、カプセル粒子を所定位置に敷き詰め、必要ならバインダーをＵＶないし熱で硬化する。ついでこの上に、使用する電極構成によっては電極を設けたフィルムなどの薄い基板の電極面とカプセル粒子層を接着剤を介して貼り合わせて一旦剛体基板上に表示パネルを完成させる。ついで最終パネルとなる基板を被転写基板とし接着剤を介して剛体基板上に形成済みの表示パネルを転写する。同様の方法で２色目、３色目を転写することによって図１１のような構成の積層型フルカラーパネルを形成できる。カプセル粒子を敷き詰めた段階で被転写基板に転写、積層してゆけば図１５のような構成の積層パネルが可能であり、実質粒子層のみからなる積層が構成可能である。
上下にのみ保護シートを設けても電子ペーパ等柔軟性が望まれる用途に好適なフルカラー表示パネルが実現できる。
【００６９】
単色パネルでは被転写基板を用いることなく剥離してパネルを完成させてもよい。カプセル粒子系のみならず隔壁型パネルも当然可能であり、ＡＭアレーのみの転写、分散系まで充填してからの転写、パネルまで形成してからの剥離等、剥離、転写法は可とう性フィルム基板を用いる本発明のパネル形成に極めて有効に活用できる。１０μｍ厚程度のフィルムを用い、各色セル厚３０μｍのフルカラーパネルを構成して各セル間の接着剤厚を考慮しても図１０の構成のパネルでも０．２ｍｍ以下の厚みに収まり、正に紙のようなフレキシブルディスプレイが実現できる。
【００７０】
パネル自体がフレキシブルであっても駆動回路、バッテリなどを搭載すると表示パネルのペーパライク性が損なわれてしまいがちである。本発明の表示パネルはメモリ性があるから一旦表示を更新すればドライバを切り離しても表示は維持される。従ってパネル電極端子部あるいは信号供給回路部を露出しておき、表示を更新する時のみ信号供給源に接続する、パネル／信号源分離方式を取ることもでき、ドライバを実装していない分低コストでパネルのフレキシブル性を確保できる。
【００７１】
現行のアモルファスシリコン(a-Si)ＡＭの形成には４００℃程度の高温プロセスを必要としているためフィルム上に直接s-SiＡＭを形成することが出来ない。しかるに耐熱性剛体基板上ですべての高温プロセスを遂行しておき、耐熱性に劣り、温度変化で伸縮の激しい有機フィルム上に常温近くで剥離、転写できることは位置合わせが困難なフィルム処理には極めて有効な手法と言える。剥離転写は被転写基板側の接着力が剥離層側の接着力に勝る時に実現できる。剥離層側の接着力を弱めるためにパルスレーザ光などを照射して、剥離層と剛体基板の熱膨張性の違いを利用したり、光照射で剥離層にガスを発生させて接着力を弱める方法などが利用される。
【００７２】
セルを多数積層する表示装置において注意すべきは、界面反射である。屈折率が異なる界面では必ず界面反射が生じる。図１０、図１１の３層積層型表示セルでは、モノクロ素子１層辺り多数の層（基板、分散媒、接着層）から成るから各層は出来るだけ透明性が高いのは勿論、屈折率のできるだけ等しい材料で構成し、不要な界面反射を軽減することが重要である。
【００７３】
本発明で使用する光変調素子の透明基板としてプラスチックフィルムを使用するとロールツーロールで連続量産できる特徴が発揮できる。
図１９はロールツーロールでパネルを製造する例を示す。あらかじめＡＭアレーや電極パタン、スペーサなどが形成されたロール状フィルムが上ロールから供給されカプセル粒子の形態などで分散系が塗布される。一方、電極取り出しのためのパンチング孔が空けられ印刷またはインクジェット描画などでＵＶシール樹脂などのシール剤が設けられた下フィルム基板との間に気泡が残らないように両基板を正確に位置合わせして貼合、固着される。パンチングなどで切断して１色用フィルムパネルを一括複数枚連続生産することが可能である。低温プロセスが可能な有機ＴＦＴなどのＡＭ形成プロセスはロールツーロールプロセスには相性がよく、勿論本願のロールツーロールパネル形成に有効に適応可能である。電極パタンやＡＭ形成など前工程もロールツーロールで形成できれば正に理想的なロールツーロール量産工法になり得る。
【００７４】
ロールツーロール工法は１枚の連続フィルムでも実施でき、片側電極構成では特に容易である。ロールから供給されたフィルムに電極やＡＭアレーを形成して後、カプセル粒子層を所定箇所に印刷等で設けて後、透明保護層を塗布すればよい。       
【００７５】
特に本願では図３のように片側基板にしか電極を必要としないパネル構成では製造の自由度が高い。下側フィルムにフォトレジストなどで隔壁を形成しておいてもよいが、ＵＶ硬化樹脂を塗布して仮硬化した膜などをエンボス加工などで隔壁とセルを形成後本硬化して分散系を充填し、電極やＡＭ付き上フィルムで封止することによって隔壁型フィルムパネルを製造することも可能となる。
【００７６】
フィルム材料としてはビニル系のポリエチレン、ポリ塩化ビニル、ポリ塩化ビニリデン、ポリプロピレン、ポリスチレン、フッ素樹脂系など、またポリエステル系のポリカーボネート、ポリエチレンテレフタレートなど、ポリアミド系のナイロン、耐熱性エンジニアリングプラスチックとしてのポリイミド、ポリスルフォン、ポリエーテルスルフォン、ポリフェニレンサルファイド、ポリエーテルケトン、ポリエーテルイミドなど種々のものが利用できる。
【００７７】
ポリマーフィルムは一般にガラス等にくらべてガスを透過しやすい。フィルムを使用した表示装置でフィルムが外気に曝されて水分などが分散系に入り込み特性を劣化させる場合が生じる。従ってフィルムパネルの信頼性を向上するためにはフィルム表面にガスバリア層を設けるのが有効である。ガスバリア層としては酸化ケイ素、窒化ケイ素などの薄膜、およびこれらの膜とビニルアルコール含有重合体などの有機膜との積層膜が有効なことが知られている。
【００７８】
本発明の光変調素子では隔壁部分ないしカプセル粒子間の隙間は光線透過率は変化しないから、光線透過方向のこの部分の幅は出来るだけ狭いことが望ましい。逆にこの部分が透明性であると光り抜けを生じ光変調素子の光線遮断力を低下させ純黒が得られなくなるからこの部分を黒色光吸収性にするか光反射性にすることが望ましい。１０００：１以上の透過率変調を達成するには隔壁部を含む微粒子分散状態でのセルの光透過率を０．１％未満に押さえ込む必要があるが、隔壁部やカプセルのすき間からの光り抜けを必要ならブラックマトリクス（ＢＭ）層を設けて防止した上でセルないしカプセルに含有される微粒子の濃度を選定することによって達成可能である。
【００７９】
本発明に使用する材料について述べる。
微粒子としては先に述べた通りできるだけ隠ぺい力ないし着色力の高いものが望ましい。白黒用にはカーボンブラック、ピグメントブラック、黒鉛などまたはこれらが樹脂に埋め込まれたいわゆるトナーが使用できる。Ｃ，Ｍ，Ｙ微粒子としては印刷インキ、カラー複写機用トナー、インクジェット用インキなどに用いられているアゾ系、フタロシアニン系、ニトロ系、ニトロソ系など各種有機顔料や酸化鉄、カドミウムエロー、カドミウムレッドなどの無機顔料など多様なものを用いることが出来る。Ｙ色微粒子としてはハンザイエロー、ベンジジンイエロー、キノリンイエローなど、Ｍ色微粒子としてはピグメントレッド、ローダミンＢ、ローズベンガル、ジメチルキナクリドンなど、Ｃ色微粒子としてはアニリンブルー、フタロシアニンブルー、ピグメントブルーＫなど、黒色微粒子としてはＣ，Ｍ，Ｙ微粒子を混合して用いてもよい。
【００８０】
微粒子は単体ばかりではなく帯電性や色調を最適化するため染料、顔料およびいくつかの色材を樹脂や液体と共に内包したカプセル微粒子を使用してもよい。粒子の形状は球形はじめ針状、棒状、鱗片状など異方形状のものは本願のように線状電極を用いる場合適したものと言える。何故なら分散状態では粒子はあらゆる方向を向いており、光線吸収能、光散乱能が高く、電極に集積した状態では針状や棒状粒子は電極に平行に配列しやすく、鱗片状では互いに重なり易いから、共に吸収ないし散乱断面積が減じコントラストが高まり易いからである。微粒子のサイズは５ｎｍ〜５μｍ程度が望ましい。微粒子は原子や分子レベルでの表面コートで表面変性したり、分散剤、界面活性剤等を用いて荷電性付与および良分散性がはかられ、電界で集積させた粒子層も逆電界で速やかに再分散されるように調整されている必要がある。
【００８１】
隔壁型パネルでは図６−３（Ｇ）、（Ｈ）を除き電極６−１、６−２は共に分散系に露出しているとして説明したが、粒子堆積の均一性向上、付着力制御、閾値性制御などの目的で導電性、半導電性あるいは絶縁性の皮膜で被覆する場合もある。
【００８２】
本発明で使用するマイクロカプセルの製法は公知の種々の方法が適用できる。すなわち、（１）化学的方法として代表的な界面重合法やin-site 重合法（界面反応法） （２）物理化学的方法として代表的な液中乾燥法、コアセルベーション法、融解分散冷却法 （３）機械的方法として代表的な噴霧乾燥法、乾式混合、オリフィス法などである。マイクロカプセルの膜材としてはゼラチン、アラビアゴム、メラミン樹脂、尿素樹脂、ホルマリン樹脂、ウレタン樹脂、ポリウレア樹脂、アミノ酸樹脂、メラミンホルムアルデヒド樹脂など多様な高分子材料が使用可能である。内部がガス体のマイクロカプセルは一般にマイクロバルーンと称される。
【００８３】
微粒子を内蔵したマイクロバルーンの製法としては、（１）微粒子にたとえば紫外光照射で窒素ガス等を発生するジアゾ成分などを導入ないし表面に吸着させておき、微粒子群を高分子樹脂で覆って後、紫外光を照射して内部にガスを発生させて微粒子内蔵中空カプセルを形成する  （２）粒子群を気泡と共にカプセル化する  （３）ドライアイスなど常温近辺で気体状態の物質を低温で液体化あるいは微粉末固体化して微粒子と共に低温下でカプセル化する  などの方法が利用できる。
【００８４】
分散系７が空気や窒素などのガス体中に流動性の高い微粒子が分散された分散系では粒子移動に抵抗が少ないから高速応答の表示パネルが可能になる。微粒子表面に微小な凹凸形状を形成すると更に流動性が高くなること、またシランカップリング剤やシリコンオイルでの粒子の表面処理が帯電性制御、流動性向上に有効なことが知られている。
【００８５】
屋外用では強力な光に曝されることになるから、使用する材料（透明基板、接着剤、微粒子、分散媒、カプセル材料、バインダー樹脂、隔壁材料、電極、ＡＭなど）には特に耐光性、耐熱性に優れたものを用いる必要がある。パネル表面はアクリル板などで補強したり紫外線吸収剤を内蔵したものないしは表面にコートして用いるべきである。見易さ改善には反射防止膜も有用である。
【００８６】
媒体が液体の場合シリコン系、石油系やハロゲン化炭化水素など多種類の高絶縁性溶媒が利用できる。
【００８７】
非直線素子材料としては先述の通りＴａ，Ａｌなどの薄膜を陽極酸化して他方の金属で挟み込んだＭＩＭや、カルコゲナイト系化合物、酸化亜鉛などの半導体が利用でき、ＴＦＴ材料としてはa−Ｓｉ、a-InGaZnO、ポリシリコンなどの無機半導体またペンタセン、ポリフルオレン、ポリフェキシルチオフェンなどの低分子や高分子の有機半導体が用いられる。
【発明の効果】
【００８８】
本発明は次のような効果を奏する。
帯電した微粒子を電界で移動させて、光透過性を変化させる表示装置であって、電極構成、セル中の微粒子量、電極ピッチ、セル厚、駆動電極面積率に検討を加えたことによって低電圧で高コントラスト、高透過率を達成し、拡大投射用高精細小型ライトバルブ、小型からメートルサイズの直視型表示装置、薄型フレキシブルな白黒およびフルカラー電子ペーパ、数１０メートルを超える超大型表示装置まで広範囲の表示サイズに適用可能となり、反射専用、透過専用あるいは反射、透過両用に適用可能な表示装置が実現した。
【図面の簡単な説明】
【００８９】
【図１】は従来の横電界粒子移動型表示装置の原理を示す横断面図
【図２】は従来の横電界粒子移動型表示装置の原理を示す他の横断面図
【図３】は本発明の横電界粒子移動型表示装置の原理を示す横断面図
【図４】は本発明の表示装置に用いる電極の正面図
【図５】は本発明の表示装置の明状態の透過性を説明する図
【図６−１】は本発明の表示装置の他の電極構成を示す横断面図
【図６−２】は本発明の表示装置の他の電極構成を示す横断面図
【図６−３】は本発明の表示装置の他の電極構成を示す横断面図
【図７】は本発明の表示装置に用いる他の電極の正面図
【図８】は本発明の表示装置の明状態の透過性を向上するための電極部の横断面図
【図９】は本発明の表示装置の他の構成を示す横断面図
【図１０】（Ａ）は本発明の積層型カラーパネルの断面図、（Ｂ）は本発明のピン付きカラーパネルの斜視図
【図１１】本発明のＣ，Ｍ，Ｙカプセル粒子を積層したカラーパネルの断面図
【図１２】本発明の単純マトリクスパネルの製造工程と電極構成の正面図
【図１３】発明の２端子ＡＭアレー製造工程と電極構成の正面図
【図１４】本発明の３端子ＡＭパネルの画素部の電極構成の正面図
【図１５】本発明のＣ，Ｍ，Ｙカプセル粒子を積層した他のカラーパネルの断面図
【図１６】本発明のシリコン集積回路を下基板に用いた反射型ライトバルブの断面図
【図１７】本発明のカラーフィルタ付きカラーパネルの断面図
【図１８】本発明の単層マルチカラーパネルの動作原理を示す断面図
【図１９】本発明のパネルをロールツーロールで製造する工程図の１例
【符号の説明】
【００９０】
１  透明上基板
２  下基板
３  カウンター電極
４  コレクト電極
５  微粒子
６−１  駆動電極
６−２  共通電極
７  分散系
８  セル
９  スペーサ  
１０  カプセル粒子
１１  接着剤
１２  白色拡散板
１３  光源
１３a  カラーフィルタ
１３ｂ ブラックマトリクス
１３c  Ｘ−Ｙアクティブマトリクスアレー
１３d  ３色用Ｘ−Ｙアクティブマトリクスアレー
１４  反射板
１５  シリコン基板
１６  バインダー
１７  バックライトユニット
１８  C1,C2,C3,………  列電極端子
１９  R1,R2,R3,………  行電極端子
２０  隔壁
２１  ２端子素子
２２  ＴＦＴ素子
２３  絶縁膜
２４  積層セル
２５  電極ピン
【図１】
2008209953.tif 000003
【図３】
2008209953.tif 000004
【図４】
2008209953.tif 000005
【図５】
2008209953.tif 000006
【図７】
2008209953.tif 000007
【図８】
2008209953.tif 000008
【図９】
2008209953.tif 000009
【図１０】
2008209953.tif 000010
【図１１】
2008209953.tif 000011
【図１２】
2008209953.tif 000012
【図１３】
2008209953.tif 000013
【図１４】
2008209953.tif 000014
【図１５】
2008209953.tif 000015
【図１６】
2008209953.tif 000016
【図１７】
2008209953.tif 000017
【図１８】
2008209953.tif 000018
【図１９】
2008209953.tif 000019
【図２】
2008209953.tif 000020
【図６−１】
2008209953.tif 000021
【図６−２】
2008209953.tif 000022
【図６−３】
2008209953.tif 000023